(57)【要約】  本発明は、無線通信システムにおいてエンハンストアップリンク（ＥＵ）動作をサポートするための、無線送受信装置（ＷＴＲＵ）固有の情報を転送する方法及びシステムに関する。無線ネットワーク制御装置（ＲＮＣ）は、ＷＴＲＵ固有の情報を取得し、そのＷＴＲＵ固有の情報をＮｏｄｅ−Ｂへ転送する。各Ｎｏｄｅ−Ｂは、ＷＴＲＵからのアップリンク伝送をスケジュールするように設定され、ＥＵ伝送の動作においてそのＷＴＲＵ固有の情報を利用する。
2007511185.tif 000002
【特許請求の範囲】
【請求項１】
無線ネットワーク制御装置（ＲＮＣ）、複数のＮｏｄｅ−Ｂ、及びＷＴＲＵを備え、各Ｎｏｄｅ−Ｂは、ＷＴＲＵからのアップリンク（ＵＬ）伝送をスケジュールするように設定される無線通信システムにおいて、エンハンストアップリンク（ＥＵ）動作をサポートするために無線送受信装置（ＷＴＲＵ）固有の情報を転送する方法であって、前記方法は、
前記ＲＮＣによって前記ＷＴＲＵ固有の情報を取得すること、及び、
前記ＲＮＣから少なくとも１つのＮｏｄｅ−Ｂへ前記ＷＴＲＵ固有の情報を転送し、そうすることによって前記少なくとも１つのＮｏｄｅ−Ｂが、ＥＵ伝送の動作において前記ＷＴＲＵ固有の情報を利用すること
を含むことを特徴とする方法。
【請求項２】
前記ＲＮＣは、前記ＷＴＲＵ固有の情報が変化する度に前記ＷＴＲＵ固有の情報を更新することを特徴とする請求項１に記載の方法。
【請求項３】
前記ＷＴＲＵ固有の情報は、ＥＵに関するＷＴＲＵの能力、高速ダウンリンクパケットアクセス（ＨＳＤＰＡ）能力についての情報、データレート及びスループットに影響を及ぼす情報、及び、前記ＷＴＲＵ及び適切な前記Ｎｏｄｅ−Ｂへ割り当てられた物理的転送チャネル特性についての情報のうちの少なくとも１つを含むことを特徴とする請求項１に記載の方法。
【請求項４】
データレート及びスループットに影響を及ぼす前記情報は、ＵＬ物理チャネルをサポートする複数のマルチコード、ＵＬ物理チャネルをサポートするモジュレーションスキーマ及びコーディングレート、ＷＴＲＵ内の自動繰り返し要求（ＡＲＱ）バッファ又はメモリサイズ、ＷＴＲＵパワークラス、ＷＴＲＵにおいてサポートされる複数のハイブリッドＡＲＱ（Ｈ−ＡＲＱ）プロセス、ＥＵ又はＨＳＤＰＡサービスについて利用可能なＷＴＲＵメモリの形式、サポートされるビットレート及びレイヤ１（Ｌ１）又はレイヤ２（Ｌ２）における転送時間間隔（ＴＴＩ）毎の受信可能なビット、及び、前記ＷＴＲＵによるＥＵ固有のチャネル以外の同時受信能力のうちの１つを含むことを特徴とする請求項３に記載の方法。
【請求項５】
物理的転送チャネル特性についての前記情報は、ＵＬまたはダウンリンク（ＤＬ）物理チャネルの最大又は最小パワー設定、前記ＷＴＲＵによって割り当てられる共有又は専用の物理チャネル、及びＤＬサービスについてのＨＳＤＰＡ  ＷＴＲＵ能力クラスについての情報のうちの、少なくとも１つを含むことを特徴とする請求項３に記載の方法。
【請求項６】
前記ＷＴＲＵ固有の情報は、ＷＴＲＵ毎の複数のＥＵ時分割双方向通信（ＴＤＤ）サービスタイムスロット、ＷＴＲＵ毎及びタイムスロット毎の複数のＥＵ時分割双方向通信拡散コード、及び、タイムスロット毎及びＷＴＲＵ毎のＥＵ時分割双方向通信ＷＴＲＵの物理チャネルの許容可能かつ設定可能なパワー設定のうちの、少なくとも１つをさらに含むことを特徴とする請求項３に記載の方法。
【請求項７】
エンハンストアップリンク（ＥＵ）動作をサポートするために無線送受信装置（ＷＴＲＵ）固有の情報を転送する無線通信システムであって、前記システムは、
ＷＴＲＵと、
複数のＮｏｄｅ−Ｂであって、各Ｎｏｄｅ−Ｂは、ＷＴＲＵ固有の情報に基づいてＷＴＲＵからのアップリンク（ＵＬ）伝送をスケジュールするように設定されているＮｏｄｅ−Ｂと、
無線ネットワーク制御装置（ＲＮＣ）であって、
ＷＴＲＵ固有の情報を取得する手段と、
前記ＷＴＲＵ固有の情報を前記Ｎｏｄｅ−Ｂへ転送する手段と
を備える無線ネットワーク制御装置と
を含むことを特徴とするシステム。
【請求項８】
前記ＲＮＣは、前記ＷＴＲＵ固有の情報が変化するたびに、前記ＷＴＲＵ固有の情報を更新することを特徴とする、請求項７に記載のシステム。
【請求項９】
前記ＷＴＲＵ固有の情報は、ＥＵに関するＷＴＲＵの能力、高速ダウンリンクパケットアクセス（ＨＳＤＰＡ）能力についての情報、データレート及びスループットに影響を及ぼす情報、及び、前記ＷＴＲＵ及び適切な前記Ｎｏｄｅ−Ｂへ割り当てられた物理的転送チャネル特性についての情報のうちの少なくとも１つを含むことを特徴とする請求項７に記載のシステム。
【請求項１０】
データレート及びスループットに影響を及ぼす前記情報は、ＵＬ物理チャネルをサポートする複数のマルチコード、ＵＬ物理チャネルをサポートするモジュレーションスキーマ及びコーディングレート、ＷＴＲＵの自動繰り返し要求（ＡＲＱ）バッファ又はメモリサイズ、ＷＴＲＵパワークラス、ＷＴＲＵにおいてサポートされる複数のハイブリッドＡＲＱ（Ｈ−ＡＲＱ）プロセス、ＥＵ又はＨＳＰＤＡサービスについての利用可能なＷＴＲＵメモリの形式、サポートされるビットレート及びレイヤ１（Ｌ１）又はレイヤ２（Ｌ２）における転送時間間隔（ＴＴＩ）毎の受信可能なビット、及び、前記ＷＴＲＵによるＥＵ固有のチャネル以外の同時受信能力のうちの少なくとも１つを含むことを特徴とする請求項９に記載のシステム。
【請求項１１】
物理的転送チャネル特性についての前記情報は、ＵＬまたはダウンリンク（ＤＬ）物理チャネルの最大又は最小パワー設定、前記ＷＴＲＵによって割り当てられる共有又は専用の物理チャネル、及びＤＬサービスについてのＨＳＤＰＡ  ＷＴＲＵ能力クラスについての情報のうちの、少なくとも１つを含むことを特徴とする請求項９に記載のシステム。
【請求項１２】
前記ＷＴＲＵ固有の情報は、ＷＴＲＵ毎の複数のＥＵ時分割双方向通信（ＴＤＤ）サービスタイムスロット、ＷＴＲＵ毎及びタイムスロット毎の複数のＥＵ時分割双方向通信拡散コード、及び、タイムスロット毎及びＷＴＲＵ毎のＥＵ時分割双方向通信ＷＴＲＵの物理チャネルの許容可能かつ設定可能なパワー設定のうちの、少なくとも１つをさらに含むことを特徴とする請求項９に記載のシステム。
【請求項１３】
無線ネットワーク制御装置（ＲＮＣ）、複数のＮｏｄｅ−Ｂ、及びＷＴＲＵを含む無線通信システムにおいて、高速データパケット通信技術（ＨＳＤＰＡ）動作をサポートするために無線送受信装置（ＷＴＲＵ）固有の情報を転送する方法であって、各Ｎｏｄｅ−Ｂは、前記ＷＴＲＵへのダウンリンク（ＤＬ）転送をスケジュールするように構成され、前記方法は、
前記ＲＮＣによってＷＴＲＵ固有の情報を取得すること、及び、
前記Ｎｏｄｅ−Ｂのうちの少なくとも１つへ前記ＲＮＣからの前記ＷＴＲＵ固有の情報を転送することによって、前記少なくとも１つのＮｏｄｅ−Ｂが、ＥＵ伝送の動作において前記ＷＴＲＵ固有の情報利用すること
を特徴とする方法。
【請求項１４】
前記システムは、エンハンストアップリンク（ＥＵ）動作をサポートし、前記ＷＴＲＵからのアップリンク（ＵＬ）伝送をスケジュールするように設定される前記Ｎｏｄｅ−Ｂをさらに含むことによって、前記少なくとも１つのＮｏｄｅ−Ｂが前記ＷＴＲＵ固有の情報を利用して、ＥＵ及びＨＳＤＰＡ両方の伝送を動的にスケジュールすることを特徴とする請求項１に記載の方法。
【発明の詳細な説明】
【技術分野】
【０００１】
本発明は一般に、無線通信システムに関し、より詳細には、無線送受信装置固有の情報（WTRU-specific information）を転送する方法、及びシステムに関する。
【背景技術】
【０００２】
第３世代パートナーシッププロジェクト（３ＧＰＰ）標準を実装する無線通信システムにおいて、無線ネットワーク制御装置（ＲＮＣ）は、無線送受信装置（ＷＴＲＵ）への伝送の全体的な制御を維持し、各無線送受信装置の性能を知っている。しかしながら、現在の方式では頻繁に、スループット及び伝送レイテンシーの問題が生じる。そこで、現在の方式を改良するために、無線送受信装置へのアップリンク（ＵＬ）無線リソース（uplink radio resource）をスケジュールし、割り当てるために、Ｎｏｄｅ−Ｂが期待されている。ＲＮＣがＮｏｄｅ−Ｂを介して全体的な制御を維持しているとしても、Ｎｏｄｅ−Ｂは、短期的にはＲＮＣよりも効果的な決定を行い、ＵＬ無線リソースを管理する。
【０００３】
Ｎｏｄｅ−Ｂが、エンハンストアップリンク（enhanced uplink：ＥＵ）動作において、ＵＬ無線リソースを無線送受信装置へ割り当てるためには、Ｎｏｄｅ−Ｂは、いくつかの無線送受信装置固有のパラメータを知る必要がある。現在の３ＧＰＰ標準の下では、ＲＮＣだけしか無線送受信装置固有のパラメータを知らない。ＲＮＣは、無線送受信装置固有の情報を伝達する無線リソースコントロール（ＲＲＣ）メッセージを介して、この情報を得る。したがって、ＥＵ伝送における無線リソースの適切なスケジューリングのために、その情報をＮｏｄｅ−Ｂへ転送することが必要である。
【発明の開示】
【発明が解決しようとする課題】
【０００４】
本発明は、このような問題を鑑みてなされたものであり、その目的とするところは、無線通信システムにおいてＥＵ操作をサポートするために、Ｎｏｄｅ−Ｂへ無線送受信装置固有の情報を転送する方法及びシステムを提供することである。
【課題を解決するための手段】
【０００５】
このような目的を達成するために、ＲＮＣは、無線送受信装置固有の情報を得て、それをＮｏｄｅ−Ｂへ転送する。各Ｎｏｄｅ−Ｂは、無線送受信装置からのＵＬ伝送をスケジュールするように設定され、ＥＵ伝送の動作において無線送受信装置固有の情報を利用する。
【発明を実施するための最良の形態】
【０００６】
本発明を、図面を参照して説明する。なお、図面を通じて同様の符合は、同様の要素を表す。
【０００７】
本明細書において用語「ＷＴＲＵ」は、限定するわけではないが、ユーザ装置、モバイルステーション、固定式または移動式加入者装置（fixed or mobile subscriber unit）、ページャ（pager）、あるいは無線環境の下で動作することのできるその他の種類の装置を含む。用語「Ｎｏｄｅ−Ｂ」は、限定するわけではないが、基地局（base station）、サイトコントローラ（site controller）、アクセスポイント、または無線環境の下で装置を相互接続するその他の種類の装置を含む。
【０００８】
図１は、無線通信システム１００の構成図である。ＲＮＣ１０６は複数のＮｏｄｅ−Ｂ１０４（図１では１つだけ示す）を制御し、各Ｎｏｄｅ−Ｂは、１つまたは複数のセル１０８ａ、１０８ｂ、１０８ｃをカバーする。通常は、ＷＴＲＵ１０２のために働く「サービングセル（serving cell）」は１つであるが、ＷＴＲＵ１０２は、一度にいくつかのセルでソフトハンドオーバーする（in soft handover）こともある。例えば、ＥＵ動作において、「サービングセル」、例えばセル１０８ｃ、を介して、接続を確立しているＷＴＲＵ１０２へ、Ｎｏｄｅ−ＢによってＵＬ伝送がスケジュールされ、無線リソースが割り当てられる。ＷＴＲＵ１０２は、ソフトハンドオーバーのサポートの下（in support of soft handover）、その他のセルへも接続される。
【０００９】
図２は、本発明に係る、ＥＵ動作をサポートするためにＷＴＲＵ固有の情報（WTRU-specific information）を転送するシステム２００の構成図である。システム２００は、少なくとも１つのＷＴＲＵ２０２、少なくとも１つのＮｏｄｅ−Ｂ２０４、少なくとも１つのＲＮＣ２０６を含む。通信リンク（communication links）は、ＷＴＲＵ２０２、Ｎｏｄｅ−Ｂ２０４、及びＲＮＣ２０６の間の通信伝達（signaling）２０８、２１０、２１２をサポートする。初めに、ＲＮＣ２０６は、初期接続中にＲＲＣメッセージング２０８を使用して、ＷＴＲＵ２０２からＷＴＲＵ固有の情報を獲得する。Ｎｏｄｅ−Ｂ２０４が必要とする、ＷＴＲＵ２０２から転送されたその情報は主に、物理的な受発信能力情報である。ＷＴＲＵ固有の情報は、次いで、ＲＮＣ２０６からＮｏｄｅ−Ｂ２０４へ転送され、ＷＴＲＵ２０２についてのＵＬ伝送のスケジューリングに使用される。
【００１０】
新しい情報伝達手順を利用して、その情報は、ＲＮＣ２０６からＮｏｄｅ−Ｂ２０４へ転送される。代替として、従来のメカニズム（例えば、Ｉｕｒ及びＩｕｂインターフェースを介する無線リンク設定手順）をＲＮＣ２０６のために修正して、適切なＷＴＲＵ固有の情報をＮｏｄｅ−Ｂ２０４へ転送することができる。情報を転送するために使用する特定のプロトコルまたはフォーマットは本発明にとって重要ではないが、本実施例においては、ＲＮＣ２０６からＮｏｄｅ−Ｂ２０４への情報の転送は、Ｉｕｂインターフェース２１０及びＩｕｒインターフェースを介する。ＲＮＣ２０６は、（Ｉｕｒインターフェースを介する）無線ネットワークサブシステムアプリケーションプロトコル（ＲＮＳＡＰ）制御手順、及び（Ｉｕｒインタースを介する）Ｎｏｄｅ−Ｂアプリケーションパート（ＮＢＡＰ）制御プロトコルを介して、Ｎｏｄｅ−Ｂ２０４へＷＴＲＵ固有の情報を転送する。この情報は、ＵＴＲＡＮにおける無線リンク設定手順に従って信号伝達される。
【００１１】
ＷＴＲＵ固有の情報の転送は、ＷＴＲＵ２０２がＲＮＣ２０６によってカバーされるサービスエリア内のサービスに入る、またはサービスを確立する場合、あるいは、ＷＴＲＵ２０２がそのサービスエリアを去る場合など、個々のイベントに応じて生じる。代替として、ＷＴＲＵ固有の情報の転送は、無線リンクの存続期間に定期的に生じ、そうすることによって、ＲＮＣ２０６は、ＷＴＲＵ固有の情報を更新する。
【００１２】
ＷＴＲＵ固有の情報の転送は、ＲＮＣ２０６またはＮｏｄｅ−Ｂ２０４のどちらかによって開始することができる。ＲＮＣ２０６によって開始される場合、ＷＴＲＵ固有の情報は、サービスの開始時、または、ＷＴＲＵ固有の情報の変化の検出時に、ＲＮＣ２０６からＮｏｄｅ−Ｂ２０４へ転送される。代替として、Ｎｏｄｅ−Ｂ２０４が、その情報をＲＮＣ２０６からＮｏｄｅ−Ｂ２０４へ転送するよう要求することもでき、ＲＮＣ２０６はＮｏｄｅ−Ｂ２０４からのその要求を受け取ると、その情報を転送する。
【００１３】
ＷＴＲＵ固有の情報は、限定するわけではないが、ＥＵについてのＷＴＲＵ能力、データレート及びスループットに影響する情報、及び、ＷＴＲＵに割り当てられ、Ｎｏｄｅ−Ｂにとって適切な物理的転送チャネル特性（physical and transport channel characteristics）を含む。
【００１４】
データレート及びスループットに影響を及ぼす情報は、限定するわけではないが、ＵＬ物理チャネルをサポートするマルチコードの数、ＵＬ物理チャネルをサポートする変調方式及びコーディングレート、ＷＴＲＵにおける自動再送要求（ＡＲＱ）バッファまたはメモリサイズ、ＷＴＲＵパワークラス、ＷＴＲＵにおいてサポートされるハイブリッドＡＲＱ（Ｈ−ＡＲＱ）プロセスの数、ＥＵで利用可能なＷＴＲＵメモリの形式（form）、サポートされるビットレート及びレイヤ１（Ｌ１）またはレイヤ２（Ｌ２）レベルにおける送信時間間隔（ＴＴＩ）当たりの受信可能なビット、及び、ＷＴＲＵによるＥＵ固有のチャネル以外の同時受信能力を含む。
【００１５】
物理的転送チャネル特性についての情報は、限定するわけでないが、ＵＬまたはＤＬ（downlink）物理チャネルの最大または最小パワー設定、ＷＴＲＵによって割り当てられた共有または専用物理チャネル（ＷＴＲＵに共有チャネルの使用を割り当てることができる場合、拡散（spreading）及びスクランブリング（scrambling）コード、時間間隔の周期性（periodicity）または列挙（enumerations））、及び、ＤＬサービスについてのＨＳＤＰＡ  ＷＴＲＵ能力クラスについての情報を含む。
【００１６】
本発明は、周波数分割双方向通信（ＦＤＤ）及び時分割双方向通信（ＴＤＤ）モードのいずれにも適用可能である。ＦＤＤ及びＴＤＤモードについてのより高いレイヤ（ＲＲＣまたはＩｕｒ／Ｉｕｂを介する）シグナリングの共通性のおかげで、上述したすべての要素はＴＤＤモードへも適合する。ＴＤＤアプリケーション用に、ＴＤＤのみに使用するいくつかのパラメータ、例えば、ＷＴＲＵ当たりのＥＵ  ＴＤＤサービスタイムスロットの数、ＷＴＲＵ当たり及びタイムスロット当たりのＥＵ  ＴＤＤ拡散（spreading）コードの数、及び、タイムスロット当たり及びＷＴＲＵ当たりのＥＵ  ＴＤＤ  ＷＴＲＵの物理チャネルの許容可能かつ設定可能なパワー設定なども含まれる。
【００１７】
ＤＬデータ伝送に関する高速データパケット通信技術（ＨＳＤＰＡ）ＷＴＲＵ能力は、ＵＬデータ伝送に関するＥＵ  ＷＴＲＵ能力と共通の属性を有する。Ｎｏｄｅ−Ｂは、ＤＬ  ＨＳＤＰＡ及びＵＬ  ＥＵサービス両方のスケジューリングを提供するので、Ｎｏｄｅ−Ｂは、ＵＬ及びＤＬサービス間で能力（capabilities）を、潜在的にＴＴＩベースで、動的に分配することができ、改善されたサービスの質（ＱｏＳ）及びより効果的な無線リソースの利用のために、ＵＬ及びＤＬ伝送をよりよく決定することができる。
【００１８】
図３は、本発明に係るＷＴＲＵ固有の情報を転送するプロセス３００の流れ図である。ＷＴＲＵ２０２は、ＲＮＣ２０６によってカバーされる領域において、Ｎｏｄｅ−Ｂ２０４への接続２１２を確立する（ステップ３０２）。ＲＮＣ２０６は、ＲＲＣメッセージングを使用して、ＷＴＲＵ２０２からＷＴＲＵ固有の情報を取得する（ステップ３０４）。ＲＮＣ２０６は、ＷＴＲＵ固有の情報をＮｏｄｅ−Ｂ２０４へ転送する（ステップ３０６）。ＷＴＲＵ固有の情報の転送は、Ｎｏｄｅ−Ｂ２０４によって開始される。Ｎｏｄｅ−Ｂ２０４は、ＷＴＲＵ２０２からＵＬ伝送をスケジュールするように設定され、ＥＵ伝送の動作においてＷＴＲＵ固有の情報を利用する。
【００１９】
本発明の特徴及び要素を、特定の組み合わせの好ましい実施形態において説明したが、各特徴または要素は、（好ましい実施形態のその他の特徴及び要素を用いないで）単独で、または、本発明のその他の特徴及び要素の有無に関わらず様々な組み合わせにおいて使用することができる。
【図面の簡単な説明】
【００２０】
【図１】本発明に係る、無線通信システムの構成図である。
【図２】本発明に係る、ネットワークエンティティ間でＷＴＲＵ固有の情報を転送するシステムの構成図である。
【図３】本発明に係る、ＷＴＲＵ固有の情報を転送するプロセスの流れ図である。
【図１】
2007511185.tif 000003
【図２】
2007511185.tif 000004
【図３】
2007511185.tif 000005
【国際調査報告】
2007511185.tif 000006
2007511185.tif 000007